(57)【要約】【課題】舵切り時に騒音が発生することなく、また、舵切り操作に力が不要な、押棒付の幼児用自転車を提供する。【解決手段】押棒付の幼児用自転車１０は、押棒１４で舵取りを行う。幼児用自転車１０は、ハンドル１１を回転自在に保持する操向軸１１ａを保持する操向軸保持筒１２と、操向軸保持筒１２に接続されたフレーム１３と、フレーム１３に接続され、押棒１４を回転自在に保持する押棒保持部２０ａを収容する押棒収容部２０と、を含み、押棒保持部２０ａは、押棒１４の回転に連動して回転し、操作軸保持筒１２は、ハンドル１１の回転に連動して回転し、押棒保持部２０ａと操向軸保持筒１２の回転を連動させる、一対のワイヤ１７，１８を含み、押棒１４を操作することによって、押棒保持部２０、一対のワイヤ１７，１８、および、操向軸保持部１２ａを介して、ハンドル１１が操作される。【選択図】図１
2019188849.tif 000002
【特許請求の範囲】
【請求項１】
押棒で舵取りを行う幼児用自転車であって、
ハンドルを回転自在に保持する操向軸を保持する操向軸保持部と、
前記操向軸保持部を収容する操向軸保持筒に接続されたフレームと、
前記フレームに接続され、前記押棒を回転自在に保持する押棒保持部を収容する押棒収容部と、を含み、
前記押棒保持部は、前記押棒の回転に連動して回転し、
前記操向軸保持部は、前記ハンドルの回転に連動して回転し、
前記押棒保持部と前記操向軸保持部の回転を連動させる、一対のワイヤを含み、
前記押棒を操作することによって、前記押棒保持部、前記一対のワイヤ、および、前記操向軸保持部を介して、前記ハンドルが操作される、幼児用自転車。
【請求項２】
前記押棒保持部および前記操向軸保持部はフランジ部を有し、
前記一対のワイヤは、それぞれ、両端にタイコを有し、
前記フランジ部は、相互に間隔を開けて設けられ、前記タイコを保持するタイコ保持部を有する、請求項１に記載の幼児用自転車。
【請求項３】
前記一対のワイヤのうち、一方のワイヤは一方側への舵取りに使用され、他方のワイヤは他方側への舵取りに使用される、請求項１または２に記載の幼児用自転車。
【発明の詳細な説明】
【技術分野】
【０００１】
この発明は、幼児用自転車に関し、特に、操作が軽い幼児用自転車に関する。
【背景技術】
【０００２】
従来から、幼児用自転車が提供されている。そのような幼児用自転車の一例が、たとえば、特開２００６−１４２９９５号公報（「特許文献１」）として公開されている。
【０００３】
特許文献１によれば、幼児用自転車は押棒付で、押棒で前輪の舵切りを行っていた。また、ブレーキの作動用のワイヤは押棒のパイプ内を通されていた。
【先行技術文献】
【特許文献】
【０００４】
【特許文献１】特開２００６−１４２９９５号公報（要約等）
【発明の概要】
【発明が解決しようとする課題】
【０００５】
従来の押棒付の幼児用自転車は上記のように構成されていた。しかしながら、このような構成においては、舵切りは押棒に連動したロッドで行われていたため、舵切り時に騒音が発生し、また、舵切り操作に力がいるという問題があった。
【０００６】
この発明は上記した問題点に鑑みてなされたもので、舵切り時に騒音が発生することなく、また、舵切り操作に力が不要な、押棒付の幼児用自転車を提供することを目的とする。
【課題を解決するための手段】
【０００７】
この発明に係る押棒付の幼児用自転車は、押棒で舵取りを行う。幼児用自転車は、ハンドルを回転自在に保持する操向軸を保持する操向軸保持部と、操向軸保持部を収容する操向軸保持筒に接続されたフレームと、フレームに接続され、押棒を回転自在に保持する押棒保持部を収容する押棒収容部と、を含み、押棒保持部は、押棒の回転に連動して回転し、操向軸保持部は、ハンドルの回転に連動して回転し、押棒保持部と操向軸保持部の回転を連動させる、一対のワイヤを含み、押棒を操作することによって、押棒保持部、一対のワイヤ、および、操向軸保持部を介して、ハンドルが操作される。
【０００８】
好ましくは、押棒保持部および操向軸保持部はフランジ部を有し、一対のワイヤは、それぞれ、両端にタイコを有し、フランジ部は、相互に間隔を開けて設けられ、タイコを保持するタイコ保持部を有する。
【０００９】
一対のワイヤのうち、一方のワイヤは一方側への舵取りに使用され、他方のワイヤは他方側への舵取りに使用されるのが好ましい。
【発明の効果】
【００１０】
この発明に係る押棒付の幼児用自転車は、ハンドルの舵切りを押棒に連動するワイヤで行うようにしたため、舵切り時に騒音が発生することなく、また、舵切り操作に力が不要な、押棒付の幼児用自転車を提供できる。
【図面の簡単な説明】
【００１１】
【図１】この発明の一実施の形態の幼児用自転車の外観図である。
【図２】この発明の一実施の形態の幼児用自転車のフレーム内の構成を示す図である。
【図３】押棒保持部の具体的な構成を示す図である。
【発明を実施するための形態】
【００１２】
以下、この発明図面を参照して説明する。
【００１３】
図１は、この発明に係る幼児用自転車の一実施の形態の外観図である。図１を参照して、幼児用自転車１０は、前部に設けられたハンドル１１と、ハンドル１１の操向軸１１ａを回転自在に保持する操向軸保持筒１２と、操向軸保持筒１２に対して斜め下方向に伸びるように接続されたフレーム１３と、フレーム１３に接続され、後輪を保持するために端部が２つに分かれた一対のリアフォーク１５と、リアフォーク１５に挟まれるように設けられ、押棒１４を回転自在に保持する押棒収容部２０と、を含み、押棒１４の押棒収容部２０と反対側の端部には、ハンドル１１を操作する押棒ハンドル１６が設けられている。
【００１４】
また、押棒１４は、その下端部で上方向に曲げられて円筒状の押棒回転軸１４ａに接続され、押棒回転軸１４ａがフレーム１３に直交するように配置された押棒収容部２０に保持される。なお、押棒収容部はフレーム１３によって保持される。
【００１５】
図２は、図１に示したフレーム１３の内部を示す図である。図２（Ｂ）は、図１と同じ方向から見たフレーム１３の内部を示す図であり、図２（Ａ）は、図２（Ｂ）において、矢印ＩＩＢ-ＩＩＢで示す部分の断面の平面図である。
【００１６】
図２（Ａ）および（Ｂ）を参照して、押棒回転軸１４ａは、押棒収容部２０の内部に設けられた押棒保持部２０ａの開口部２２に回転可能に接続される。同様に、ハンドル１１に接続された操向軸１１ａは、操向軸保持筒１２の内部に設けられた操向軸保持部１２ａの開口部３２に回転可能に接続される。
【００１７】
図３は、押棒保持部２０ａの具体的な構成を示す図である。なお、操向軸保持部１２ａの構成も、実質的に同様である。
【００１８】
図２（Ａ）、２（Ｂ）、および、図３を参照して、押棒保持部２０ａは、円筒状で、上部に開口部２２を有し、円筒の中央部に上下に２段になったフランジ部２１ａ，２１ｂを有する。２段になったフランジ部２１ａ，２１ｂは、それぞれ、ワイヤ１７，１８の端部に設けられたタイコ１７ａ，１８ａを保持する一対の凹部２３ａ，２３ｂを、円周方向に相互に間隔を開けて有する。したがって、一対の凹部２３ａ，２３ｂはタイコ保持部として作動する。
【００１９】
同様に、操向軸保持筒１２も、その中に収容された操向軸保持部１２ａを有し、操向軸保持部１２ａは、円筒状で、上部に開口部３２を有し、円筒の中央部に上下に２段になったフランジ部３１を有する。２段になったフランジ部３１は、それぞれ、ワイヤの端部に設けられたタイコを保持する一対の凹部２３を、円周方向に相互に間隔を開けて有する。
【００２０】
押棒保持部２０ａのフランジ部２１と、操向軸保持部１２ａのフランジ部３１のそれぞれの一方の凹部には、第１ワイヤ１７の両端部のタイコ１７ａおよび１７ｂが固定され、押棒保持部２０ａのフランジ部２１と、操向軸保持部１２ａのフランジ部３１のそれぞれの他方の凹部には、第２ワイヤ１８の両端部のタイコ１８ａおよび１８ｂが固定される。これによって、押棒保持部２０ａに保持された押棒１４が回転されると、第１および第２のワイヤを介してその回転が操向軸保持部１２ａに固定された操向軸１１ａを介してハンドル１１が操作される。
【００２１】
なお、操向軸保持部１２ａ、および、押棒保持部２０ａに接続される自転車の外部部品としては、通常の自転車の標準部品を使用してもよい。
【００２２】
また、操向軸保持部１２ａ、および、押棒保持部２０ａとそれらに挿入される操向軸１１ａおよび押棒１４とは、例えば、操向軸保持部１２ａおよび押棒保持部２０ａの所定の位置に凹部を設け、Ｖ字状でその先端部に突起部を有する板バネで突起部を凹部に挿入して、両者を一体化するようにしてもよい。
【００２３】
以上のように、この発明においては、ロッドを使用することなく、ワイヤで舵を取るように構成したため、次のような利点がある。
（１）ロッドの回転による、ガチャガチャ言う異音が生じない。
（２）操作が軽い。
（３）全体の重量が軽くなる。
【００２４】
以上、図面を参照してこの発明の実施形態を説明したが、この発明は、図示する実施形態のものに限定されない。図示された実施形態に対して、この発明と同一の範囲内において、あるいは均等の範囲内において、種々の修正や変形を加えることが可能である。
【符号の説明】
【００２５】
１０  幼児用自転車、１１  ハンドル、１１ａ  操向軸、１２  操向軸保持筒、１２ａ  操向軸保持部、１３  フレーム、１４  押棒、１４ａ  押棒回転軸、１５  押棒保持筒、１６  押棒ハンドル、１７，１８  ワイヤ、１７ａ，１８ａ  タイコ、２０  押棒収容部、２０ａ  押棒保持部、２３ａ，２３ｂ  凹部、３１  フランジ部、３２  開口部。
【図１】
2019188849.tif 000003
【図２】
2019188849.tif 000004
【図３】
2019188849.tif 000005